(57)【要約】【課題】ネットワーク上でユーザからコンテンツの編集・配信依頼を受け、アップロードされたコンテンツを自動編集して指定先に配信するサービスを実現する。【解決手段】動画データ加工・編集装置１１はネットワーク１２に接続されたユーザ端末１３１，１３２，…，１３ｎ（以下、１３ｉで代表する）からアクセス可能なサーバによって実現される。具体的には、ユーザ端末１３ｉに編集を依頼する動画コンテンツをアップロードするためのアップロード案内を提示し、当該案内に従ってアップロードされるコンテンツを受け付けるアップロード処理部１１１と、ユーザ端末１３ｉに編集内容を指定するための編集案内を提示し、アップロードされたコンテンツを当該案内に従って指定される条件に基づいて編集処理する編集処理部１１２と、ユーザ端末１３ｉに配信形態を指示するための配信案内を提示し、指示された配信形態に従って編集処理されたコンテンツを配信する配信処理部１１３とを備える。【選択図】      図１
2011210223.tif 000002
【特許請求の範囲】
【請求項１】
ネットワークを通じてユーザ端末にアップロード案内、編集案内、配信案内を提示し、前記アップロード案内に従ってアップロードされたコンテンツについて、前記編集案内で選択された編集内容に従って編集し、前記配信案内に対する指示に従って前記編集されたコンテンツを配信することを特徴とするコンテンツ編集配信システム。
【請求項２】
ネットワークを通じてユーザ端末に接続されるコンテンツ編集装置であって、
前記ユーザ端末に編集を依頼するコンテンツをアップロードするためのアップロード案内を提示し、当該案内に従ってアップロードされるコンテンツを受け付けるアップロード処理手段と、
前記ユーザ端末に編集内容を指定するための編集案内を提示し、前記アップロードされたコンテンツを当該案内に従って指定される条件に基づいて編集処理する編集処理手段と
を具備することを特徴とするコンテンツ編集装置。
【請求項３】
前記編集処理手段は、前記編集内容として、少なくとも編集の種類、編集後の動画コンテンツの所要時間、編集後の動画コンテンツの解像度、編集後の動画コンテンツのデータ形式のいずれか１つを含むことを特徴とする請求項２記載のコンテンツ編集装置。
【請求項４】
前記編集の種類の１つは、複数の動画コンテンツを時系列上または同一画面上に並べて合体させる編集であることを特徴とする請求項３記載のコンテンツ編集装置。
【請求項５】
前記編集の種類の１つは、動画コンテンツから複数の静止画を抽出し、抽出された静止画を連続的に表示させる動画コンテンツとして編集することを特徴とする請求項３記載のコンテンツ編集装置。
【請求項６】
前記編集の種類の１つは、動画コンテンツから複数の静止画を抽出し、抽出された静止画を前記動画コンテンツの中に抽出した静止画を挿入する編集であることを特徴とする請求項３記載のコンテンツ編集装置。
【請求項７】
さらに、前記ユーザ端末に配信形態を指示するための配信案内を提示し、前記指示された配信形態に従って前記編集処理されたコンテンツを配信する配信処理手段を備えることを特徴とする請求項２記載のコンテンツ編集装置。
【請求項８】
前記配信処理手段は、前記編集処理されたコンテンツのダウンロード場所の情報を予め指定されるユーザに通知することを特徴とする請求項７記載のコンテンツ編集装置。
【請求項９】
前記配信処理手段は、予め指定された複数ユーザの指定デバイスに自動的にダウンロードさせることを特徴とする請求項７記載のコンテンツ編集装置。
【請求項１０】
前記アップロード処理手段は、前記ユーザ端末から撮影中の動画コンテンツのアップロードを受け付け、前記配信処理手段は、指定先のユーザ端末に前記動画コンテンツを自動配信することを特徴とする請求項２記載のコンテンツ編集装置。
【請求項１１】
前記編集の種類の１つは、前記ユーザ端末から指定される抽出条件に従って前記動画コンテンツから静止画を自動的に抽出することを特徴とする請求項３記載のコンテンツ編集装置。
【請求項１２】
前記編集処理手段は、前記編集処理されたコンテンツを前記ユーザ端末に提示し、そのユーザ端末からの指示に従って再編集を行うことを特徴とする請求項２記載のコンテンツ編集装置。
【請求項１３】
前記編集処理手段は、前記編集の種類の１つとして、前記ユーザ端末から指定される抽出条件に従って前記動画コンテンツから静止画を自動的に抽出し、抽出された静止画を前記ユーザ端末に提示し、そのユーザ端末からの選択指示に従って再抽出を行うことを特徴とする請求項３記載のコンテンツ編集装置。
【発明の詳細な説明】
【技術分野】
【０００１】
本発明は、例えばネットワーク上でユーザから動画コンテンツの編集・配信依頼を受けて、指定先に配信するサービスを実現するコンテンツ編集配信システム及びコンテンツ編集装置に関する。
【背景技術】
【０００２】
一般に、ビデオカメラのユーザは、撮影した動画コンテンツを他の人に視聴してもらう場合、撮影したデータをパーソナルコンピュータ（以下、ＰＣ）に保存し、ＰＣ上で映像の加工編集を行い、編集後のデータをＤＶＤ等の記録媒体にコピーして配布するようにしている。
【０００３】
しかしながら、上記の編集処理は、それぞれの段階で非常に手間と時間がかかる作業であり、まだまだ課題が多い。例えば、映像データはファイルサイズが大きいため、ＰＣの記憶容量を圧迫すると共に、データ転送に時間がかかる。また、動画をＰＣで加工編集するためには、高額なソフトと高性能のＰＣが必要であり、その編集操作もユーザが意図する処理を自由に扱えるようになるには時間と手間がかかる。さらに、動画データをＤＶＤ等のメディアにコピーするには非常に時間がかかり、複数人へそのメディアを配布する場合には、その人数分のコピー時間がかかる。
【０００４】
一方、近年、ホームユースのビデオカメラにあっては、映像処理技術の発達によりハイビジョン画質で簡単にかつ長時間撮影することが可能になってきている。一方で、ブロードバンドの普及により、通信回線を利用して動画コンテンツのアップロード、ダウンロードが簡単にできるようになってきている。さらに、無線ＬＡＮ等のような高速無線回線も普及されつつあり、ビデオカメラから直接サーバにアップロードすることも可能となってきている。
【０００５】
ところが、上記のように高画質の動画コンテンツを個人で手軽に撮影することができるようになったものの、その編集作業に係る労力には計り知れないものがある。特に、データ量が膨大となるため、コンテンツの配布も容易でない。
【０００６】
一方、ビデオカメラで撮影された映像データを無線伝送し、サーバにアップロードして任意の情報端末にリアルタイムに送信することで、ライブ映像を配信するサービスが考えられている（特許文献１参照）。
【０００７】
しかしながら、このような従来のサービスでは、単に依頼された映像を指定先に送る仕組みを提供しているだけであり、編集を加えて付加価値をつけるようなサービスを実現されていない。
【先行技術文献】
【特許文献】
【０００８】
【特許文献１】特開２００４−１４０５８０号公報
【発明の概要】
【発明が解決しようとする課題】
【０００９】
以上のように、従来のコンテンツ配信システムでは、単に依頼された映像を指定先に送る仕組みを提供しているだけであり、編集を加えて付加価値をつけるようなサービスは実現されていない。
【００１０】
本発明は上記事情を考慮してなされたもので、ネットワーク上でユーザからコンテンツの編集・配信依頼を受け、アップロードされたコンテンツを自動編集して指定先に配信するサービスを実現するコンテンツ編集配信システム、コンテンツ編集装置を提供することを目的とする。
【課題を解決するための手段】
【００１１】
上記目的を達成するために、本発明に係るコンテンツ編集配信システムは、以下のように構成される。
【００１２】
（１）ネットワークを通じてユーザ端末にアップロード案内、編集案内、配信案内を提示し、前記アップロード案内に従ってアップロードされたコンテンツについて、前記編集案内で選択された編集内容に従って編集し、前記配信案内に対する指示に従って前記編集されたコンテンツを配信することを特徴とする。
【００１３】
また、本発明に係るコンテンツ編集装置は、以下のように構成される。
【００１４】
（２）ネットワークを通じてユーザ端末に接続されるコンテンツ編集装置であって、前記ユーザ端末に編集を依頼するコンテンツをアップロードするためのアップロード案内を提示し、当該案内に従ってアップロードされるコンテンツを受け付けるアップロード処理手段と、前記ユーザ端末に編集内容を指定するための編集案内を提示し、前記アップロードされたコンテンツを当該案内に従って指定される条件に基づいて編集処理する編集処理手段とを具備することを特徴とする。
【００１５】
（３）（２）の構成において、前記編集処理手段は、前記編集内容として、少なくとも編集の内容、編集前の動画コンテンツの種類、編集後の動画コンテンツの所要時間、編集後の動画コンテンツの解像度、編集後の動画コンテンツのデータ形式を含むことを特徴とする。
【００１６】
（４）（３）の構成において、前記編集の種類の１つは、複数の動画コンテンツを時系列上または同一画面上に並べて合体させる編集であることを特徴とする。
【００１７】
（５）（３）の構成において、前記編集の種類の１つは、動画コンテンツから複数の静止画を抽出し、抽出された複数の静止画を連続的に表示させる動画コンテンツとして編集することを特徴とする。
【００１８】
（６）（３）の構成において、前記編集の種類の１つは、動画コンテンツから複数の静止画を抽出し、抽出された複数の静止画を前記動画コンテンツ中に挿入することを特徴とする。
【００１９】
（７）（２）の構成において、さらに、前記ユーザ端末に配信形態を指示するための配信案内を提示し、前記指示された配信形態に従って前記編集処理されたコンテンツを配信する配信処理手段を備えることを特徴とする。
【００２０】
（８）（７）の構成において、前記配信処理手段は、前記編集処理されたコンテンツのダウンロード場所の情報を予め指定されるユーザに通知することを特徴とする。
【００２１】
（９）（７）の構成において、前記配信処理手段は、予め指定された複数ユーザの指定デバイスに自動的にダウンロードさせることを特徴とする。
【００２２】
（１０）（２）の構成において、前記アップロード処理手段は、前記ユーザ端末から撮影中の動画コンテンツのアップロードを受け付け、前記配信処理手段は、指定先のユーザ端末に前記動画コンテンツを自動配信することを特徴とする。
【００２３】
（１１）（３）の構成において、前記編集の種類の１つは、前記ユーザ端末から指定される抽出条件に従って前記動画コンテンツから静止画を自動的に抽出することを特徴とする。
【００２４】
（１２）（２）の構成において、前記編集処理手段は、前記編集処理されたコンテンツを前記ユーザ端末に提示し、そのユーザ端末からの指示に従って再編集を行うことを特徴とする。
【００２５】
（１３）（３）の構成において、前記編集処理手段は、前記編集の種類の１つとして、前記ユーザ端末から指定される抽出条件に従って前記動画コンテンツから静止画を自動的に抽出し、抽出された静止画を前記ユーザ端末に提示し、そのユーザ端末からの選択指示に従って再抽出を行うことを特徴とする。
【発明の効果】
【００２６】
本発明によれば、ネットワーク上でユーザからコンテンツの編集・配信依頼を受け、アップロードされたコンテンツを自動編集して指定先に配信するサービスを実現するコンテンツ編集配信システム及びコンテンツ編集装置を提供することができる。
【図面の簡単な説明】
【００２７】
【図１】本発明に係るコンテンツ編集配信システムの一実施形態を示すブロック図。
【図２】上記実施形態におけるサービスの流れを示す概念図。
【図３】上記実施形態において、撮影中の映像のオンデマンド配信の流れを従来と比較して示す概念図。
【図４】上記実施形態において、撮影中の映像をライブ配信するサービスの流れを示す概念図。
【図５】上記実施形態において、撮影中の映像をライブ配信する場合の処理の流れを従来と比較して示す概念図。
【図６】上記実施形態において、動画データ加工・編集装置の具体的な構成を示すブロック図。
【図７】上記実施形態において、動画データ加工・編集装置のメニュー設定画面（元映像の情報）の例を示す図。
【図８】上記実施形態において、動画データ加工・編集装置のメニュー設定画面（加工・編集内容１）の例を示す図。
【図９】上記実施形態において、動画データ加工・編集装置のメニュー設定画面（加工・編集内容２）の例を示す図。
【図１０】上記実施形態において、動画データ加工・編集装置のログイン処理の例を示すシーケンス図。
【図１１】上記実施形態において、動画データ加工・編集装置のチャプター生成編集による処理例を示すシーケンス図。
【図１２】上記実施形態において、動画データ加工・編集装置の顔検出ハイライト編集による処理例を示すシーケンス図。
【図１３】上記実施形態において、動画データ加工・編集装置の自動要約編集による処理例を示すシーケンス図。
【図１４】上記実施形態において、動画データ加工・編集装置の超解像編集による処理例を示すシーケンス図。
【図１５】上記実施形態において、動画データ加工・編集装置のデータ挿入編集による処理例を示すシーケンス図。
【図１６】上記実施形態において、動画データ加工・編集装置のテロップ挿入編集による処理例を示すシーケンス図。
【図１７】上記実施形態において、動画データ加工・編集装置の静止画抽出編集による処理例を示すシーケンス図。
【図１８】上記実施形態において、動画データ加工・編集装置の編集結果のチャプター生成編集による処理例を示すシーケンス図。
【図１９】上記実施形態において、動画データ加工・編集装置の編集結果のデータ形式変換による処理例を示すシーケンス図。
【図２０】上記実施形態において、動画データ加工・編集装置のメニュー設定画面（オートコラージュ編集）の例を示す図。
【図２１】上記実施形態において、動画データ加工・編集装置のオートコラージュ編集の処理例を示すシーケンス図。
【発明を実施するための形態】
【００２８】
以下、図面を参照して本発明の実施の形態を詳細に説明する。
【００２９】
図１は本発明に係るコンテンツ編集配信システムの一実施形態を示すブロック図である。図１において、動画データ加工・編集装置１１はネットワーク１２に接続されたユーザ端末１３１，１３２，…，１３ｎ（以下、１３ｉで代表する）からアクセス可能なサーバによって実現される。具体的には、ユーザ端末１３ｉに編集を依頼する動画コンテンツをアップロードするためのアップロード案内を提示し、当該案内に従ってアップロードされるコンテンツを受け付けるアップロード処理部１１１と、ユーザ端末１３ｉに編集内容を指定するための編集案内を提示し、アップロードされたコンテンツを当該案内に従って指定される条件に基づいて編集処理する編集処理部１１２と、ユーザ端末１３ｉに配信形態を指示するための配信案内を提示し、指示された配信形態に従って編集処理されたコンテンツを配信する配信処理部１１３とを備える。
【００３０】
ここで、上記ネットワーク１２は、光通信回線、ＡＤＳＬ回線等のブロードバンド対応の高速通信回線が望ましい。また、ＷＩＭＡＸ，ＸＧＰ，ＬＴＥ等の高速無線通信回線を利用することも可能とする。
【００３１】
また、ユーザ端末１３ｉは、携帯電話、スマートフォン、ＰＣ、ネットＴＶを利用してもよい。また、ネットワーク接続アダプタ（ＡＤＰ）を装着したビデオカメラであってもよい。
【００３２】
図２は上記実施形態におけるサービスの流れを示す概念図である。図２において、ユーザ端末１３１は例えばビデオカメラにネットワーク接続用のアダプタを装着したもので、例えばビデオカメラで撮影した動画コンテンツを、ネットワーク１２を介して動画データ加工・編集装置１１にアップロード可能と成されている。ここで、上記動画データ加工・編集装置１１において、アップロード処理部１１１では、ユーザ端末１３１からアップロードされる映像（動画データ）を受け付けて一時的に蓄積する。また、編集処理部１１２では、予め映像加工／編集用のアプリケーション、例えばダイジェスト編集、ハイライト編集、超解像、テロップ挿入、映像追加挿入、データ形式変換等の編集アプリケーションソフトを備え、指定によって任意のアプリケーションソフトを起動させることで、自動的にアップロードされた映像の加工／編集処理が行われる。
【００３３】
アップロードされた映像、または編集された映像は配信処理部１１３に送られる。この配信処理部１１３では、ライブ配信、ＶＯＤ（Video On Demand：ビデオ・オン・デマンド）配信、ダウンロード配信の各モードを選択可能となされており、例えば自宅のＰＣ１３２、リビングのネットワーク接続型テレビ１３３、移動中の携帯端末１３４でリアルタイムに視聴したり、ダウンロードして適当な時間に視聴したりすることが可能となされている。
【００３４】
上記動画データ加工・編集装置１１は、さらにユーザ管理部１１Ａ、アクセス制御部１１Ｂ、課金管理部１１Ｃ、ＤＲＭ（Digital Rights Management：デジタル著作権管理）／コンテンツ保護部１１Ｄ、ポータルサイト処理部１１Ｅ、チャット機能処理部１１Ｆ、掲示板機能処理部１１Ｇ、ＳＮＳ（Social Networking Service：ソーシャル・ネットワーク・サービス）機能処理部１１Ｈを備える。
【００３５】
上記システム構成において、図３を参照して、撮影した映像を配布する場合の処理の流れを従来の場合と比較して説明する。
【００３６】
まず、従来では、ビデオカメラで撮影した動画データを自宅にてＰＣに転送し、ＰＣにて加工・編集を施した後、ＤＶＤ用のデータに変換してＤＶＤディスクにコピーし配布するようにしている。これに対し、上記実施形態によれば、無線ＬＡＮ対応のＡＤＰ（アダプタ）をビデオカメラに装着し、当該カメラで撮影した動画データを、無線回線を通じて自動的にアップロードさせ、動画コンテンツ流通サイトの動画データ加工・編集装置１１に送る。加工・編集装置１１では、ビデオカメラからの動画データを受信すると、指定された編集を自動的に実行し、指定された形式に自動変換し、配信用に自動保存して所定の掲載ホームページに掲載する構成となっている。例えば、コンテンツの視聴を望むユーザが予め掲載ホームページのアドレスを友人に連絡しておくことで、各自が連絡を受けたアドレスのホームページにアクセスして容易にダウンロードすることが可能となる。
【００３７】
次に、図４を参照して、撮影中の動画をリアルタイムにライブ配信する場合の処理の流れを説明する。
【００３８】
まず、ユーザ側は、ビデオカメラをＨＤＭＩケーブルを通じて無線ネットワークアダプタ（ＡＤＰ）に接続し、当該アダプタを通じて無線回線（ＷＩＭＡＸ，ＸＧＰ，ＬＴＥ等）に接続されたキャリア／プロバイダに、ビデオカメラで撮影中の動画データを転送する。また、ＤＶＤプレーヤをＨＤＭＩケーブルを通じてネットワークアダプタに接続し、当該アダプタから通信回線に接続されたキャリア／プロバイダにＤＶＤプレーヤの再生画像を転送する。これらの転送データはネットワーク１２を通じて上記構成による動画データ加工・編集装置１１にアップロードされ、ユーザ指定の加工・編集処理（ＡＳＰ（Active Server Pages）サービス）が施される。編集された動画データはネットワーク１２を通じて通信事業者の映像ポータルに送られ、この映像ポータルから携帯電話、スマートフォン、ＰＣ、ＮｅｔＴＶにリアルタイムに配信される。このときの加工・編集に要する料金の決裁は、例えば電子マネーカードを利用する、あるいはカード会社のカード決済で処置することも可能である。
【００３９】
ここで、上記システムにおけるサービスの課金回収方法としては、携帯電話キャリアと提携し、携帯電話からサービス申し込みを行うようにする。利用料金は携帯電話会社から通信料金と合算して引き去る。ＡＳＰサイトは携帯電話会社からインフラ利用料を差し引いた金額を受け取る。ＰＣ等の携帯電話以外の端末で視聴する場合は、ブラウザから携帯電話会社のポータルサイト経由でＩＤ、パスワード認証を通過させるようにするとよい。
【００４０】
上記の方法以外に、ＰＣのカードリーダから電子マネーカード情報をＰＣより送信させて課金決裁を行い、ＡＳＰサイトは契約したカード会社から電子マネーカードで徴収した金額を受け取る方法もある。
【００４１】
次に、図５を参照して、撮影中の映像のライブ配信の一例を、従来の場合と比較して説明する。まず、撮影した映像をアップする方法として、従来では、ビデオカメラで撮影した動画データを自宅にてＰＣに転送し、動画投稿サイト用の形式にデータ変換してＰＣから動画投稿サイトにアップする。アップした映像を視聴する場合には、ＰＣから動画投稿サイトにアクセスし、ＰＣ、スマートフォン等の端末で視聴する。この場合、撮影の開始から端末での視聴までに要する時間は、数時間から半日程度はかかってしまう。
【００４２】
これに対し、本実施形態の場合には、撮影した映像をアップロードする場合、アダプタを装着したビデオカメラで撮影し、アダプタから無線回線を通じて撮影中の動画データを動画コンテンツ流通サービスサイトの動画データ加工・編集装置１１にアップロードさせる。アップロードした映像を視聴する場合には、ＰＣから上記サイトにアクセスし、アップされた動画データを受け取る。この場合、撮影の開始から端末での視聴までに要する時間は数秒から数分程度の遅延で済むため、ほぼライブの状態で視聴可能となる。
【００４３】
図６は、上記動画データ加工・編集装置１１の処理機能例を示すブロック図である。図６において、動画データ加工・編集装置１１は、素材管理／編集サービスシステムとして、ポータルサービスＡ、映像素材取得／管理Ｂ、編集サービスＣ、映像素材配信Ｄの各セクションを備える。
【００４４】
上記ポータルサービスＡは、メニューサービス機能、アカウント連携機能、メニュー制御機能、メールサービス機能、メニューデータ管理機能、ユーザ管理機能、履歴情報管理機能、素材蓄積ＳＴ連携機能を備え、ポータル画面をユーザ側に提示してログイン操作を実行させる。上記映像素材取得／管理Ｂは、素材受付機能、素材チェック機能、素材蓄積機能、蓄積素材管理機能、出力形式受付機能を備え、ユーザからの映像素材のアップロードを受け付ける。動画データの各種シーンとしては、子供のスポーツ大会、家族旅行、運動会等がある。
【００４５】
上記編集サービスＣは、編集指定サービス機能、編集制御機能、インデキシング処理機能、自動要約処理機能、タイトル情報処理機能、静止画抽出機能、特定顔抽出機能、ＣＭ挿入処理機能、テンプレートデータ挿入機能、テロップ挿入機能を備え、ユーザから映像編集指定を受け付ける。
【００４６】
上記映像素材配信Ｄは、素材配信機能、ＤＲＭ鍵配信機能、配信管理機能を備え、ユーザからの映像素材ダウンロードの指示を受け、その指示に従って映像素材を配信する。
【００４７】
尚、詳細は説明しないが、上記動画データ加工・編集装置１１は、課金／決裁業者システム１４、ユーザ管理、利用履歴、素材情報を管理するデータベース１５、リコメンドエンジン１６、元素材と編集後のデータを蓄積しておく素材蓄積ストレージ１７、ＣＭバンキングシステム１８、ＤＲＭ暗号化システム（ＤＲＭ暗号化処理機能を含む）１９それぞれと連携して処理を行う。尚、本実施形態では、上記装置１１，１４−１９を一体的な装置として捉えることにする。
【００４８】
図７乃至図９は、上記ポータルサービスＡ１においてユーザ端末に提示するメニュー画面を示している。
【００４９】
図７は元画像の情報をユーザに指定させるメニュー画面であり、元動画ファイル形式がＤＶＤ−Ｖｉｄｅｏ形式、ＷＭＶ形式、ＦＬＶ形式、３ＧＰＰ形式、ＭＰＥＧ４形式のいずれであるかを指定させ、映像ジャンル（映像の種類）がスポーツ（屋外）、スポーツ（室内）、発表会（屋外）、発表会（室内）、運動会、結婚式、旅行、その他のいずれであるかを指定させる。但し、映像の種類としては、上記の例に限られない。
【００５０】
図８は映像の加工・編集内容をユーザに指定させるメニュー画面であり、高解像度処理（超解像）をするかしないか、自動要約編集時間の設定をする（するの場合の時間指定）かしないかの選択、注目したい人物（顔）として第１乃至第３優先人物の顔サンプル画像の登録等の項目がある。
【００５１】
図９は映像の加工・編集内容をユーザに指定させる他のメニュー画面であり、オートコラージュ（静止画の抽出）の有無と枚数指定、ＢＧＭ挿入の有無とジャンル指定、編集後のファイル形式（ＤＶＤ用、ＰＣ用、投稿サイト用、携帯電話用、スマートフォン用）の指定、編集作業時間の指定等の項目がある。
【００５２】
上記構成による動画データ加工・編集システムの処理例について、図１０乃至図１９を参照して説明する。尚、図１０乃至図１９において、ビデオカメラはユーザ端末と接続されており、ユーザ端末はユーザポータル部と通信回線を通じて接続されているものとする。ユーザポータル部、ユーザ管理データベース部、素材受付部、素材ストレージ部、編集サービス部、素材配信部は上記動画データ加工・編集装置１１の内部機能を示している。
【００５３】
図１０は、上記動画データ加工・編集システムのログイン処理の例を示すシーケンス図である。ユーザ端末から予めユーザポータル部にユーザ登録を実行すると、そのユーザ登録情報がユーザ管理データベースに送られ、これによってユーザ登録が完了する。このユーザ登録完了の通知は、ユーザポータル部を介してユーザ端末に送られる。
【００５４】
ここで、ビデオカメラからユーザ端末に動画データのデータ転送があると、ユーザ端末はその動画データを一時保存し、ユーザポータル部に対してログイン（自動／手動のどちらでもよい）する。このとき、ユーザポータル部はユーザ管理データベースにユーザ確認を行い、ユーザ確認を取れた場合には、素材ストレージ部に対してユーザ保存領域確保確認依頼を発行する。素材ストレージ部はその依頼を受けてユーザ保存領域の残量を確認し、ユーザ保存領域を確保する。ユーザ保存領域の確保完了通知がユーザポータル部に出されると、ユーザポータル部はユーザ端末にログイン完了と残量量を通知する。
【００５５】
図１１は、上記動画データ加工・編集装置のチャプター生成編集による処理例を示すシーケンス図である。動画データ加工・編集装置では、ユーザ端末から素材受付部に動画データの自動又は手動によるアップロードがあると、素材受付部にてその動画データをチェックし、問題がなければ素材ストレージ部にデータを保存する。このとき、素材ストレージ部は編集サービス部にチャプター生成を指示する。その指示を受けて、編集サービス部は保存された動画データを読み出して所定の区切りでチャプターを生成する。チャプター生成が完了すると、素材ストレージ部に生成されたチャプターデータを保存し、データの保存が完了すると素材受付部はユーザポータル部を通じてユーザ端末にアップロード完了を通知する。
【００５６】
その後、ユーザ端末からユーザポータル部にデータアクセスがあると、ユーザポータル部は素材受付部にデータアクセスを指示する。この指示を受けて素材受付部は素材ストレージ部にデータ情報取得依頼が発行し、素材ストレージ部はその依頼に応答してデータ情報を素材受付部に送付する。素材受付部は、ユーザポータル部にデータ表示とチャプター表示を指示し、これによりユーザポータル部はデータアクセスを行ったユーザ端末に対してデータ及びチャプターを表示し、合わせてログイン許可を通知する。
【００５７】
図１２は、上記動画データ加工・編集装置の顔検出／ハイライト編集による処理例を示すシーケンス図である。動画データ加工・編集システムでは、ログイン許可を受けたユーザ端末からユーザポータル部に編集内容の入力があると、ユーザポータル部は素材受付部に入力された編集内容を指定する。素材受付部は、編集内容をチェックする。編集メニューとして、例えば超解像アップコンバート、チャプター生成、顔検出／ハイライト編集、自動要約編集、別映像データ挿入（ＣＭ挿入など）、出力データ形式、テロップ挿入、動画などからの静止画抽出などがあげられる。ここでは顔検出／ハイライト編集が指定されたとする。
【００５８】
上記素材受付部は、編集内容のチェックが完了すると、素材ストレージ部に対し、編集用データを転送するように指示する。素材ストレージ部は、その指示を受けて編集用データを抽出して編集サービス部に転送した後、データ転送の完了を素材受付部に通知する。素材受付部はデータ転送完了の通知を受けて編集サービス部に顔検出／ハイライト編集を指示する。その指示を受けた編集サービス部は、転送データについて顔検出に基づくハイライト部分の抽出による編集処理を行い、編集を完了した場合には、素材ストレージ部に編集後のデータを保存すると共に、顔検出／ハイライト編集が完了したことを素材受付部に通知する。以後、図１１と同様に、ユーザポータル部を通じてユーザ端末に編集完了を通知し、要求に応じて編集結果の表示を行う。
【００５９】
上記編集メニューのうち自動要約編集が選択指定された場合には、図１３に示すように処理される。すなわち、上記素材受付部は、編集内容のチェックが完了すると、素材ストレージ部に対し、編集用データを転送するように指示する。素材ストレージ部は、その指示を受けて編集用データを抽出して編集サービス部に転送した後、データ転送の完了を素材受付部に通知する。素材受付部はデータ転送完了の通知を受けて編集サービス部に自動要約編集を指示する。その指示を受けた編集サービス部は、転送データについて特徴部分を自動的に検出し要約する編集処理を行い、編集を完了した場合には、素材ストレージ部に編集後のデータを保存すると共に、自動要約編集が完了したことを素材受付部に通知する。以後、図１１と同様に、ユーザポータル部を通じてユーザ端末に編集完了を通知し、要求に応じて編集結果の表示を行う。
【００６０】
上記編集メニューのうち超解像編集が選択指定された場合には、図１４に示すように処理される。すなわち、上記素材受付部は、編集内容のチェックが完了すると、素材ストレージ部に対し、編集用データを転送するように指示する。素材ストレージ部は、その指示を受けて編集用データを抽出して編集サービス部に転送した後、データ転送の完了を素材受付部に通知する。素材受付部はデータ転送完了の通知を受けて編集サービス部に超解像編集を指示する。その指示を受けた編集サービス部は、転送データについて指定の解像度に変換する編集処理を行い、編集を完了した場合には、素材ストレージ部に編集後のデータを保存すると共に、超解像編集が完了したことを素材受付部に通知する。以後、図１１と同様に、ユーザポータル部を通じてユーザ端末に編集完了を通知し、要求に応じて編集結果の表示を行う。
【００６１】
上記編集メニューのうちデータ挿入編集が選択指定された場合には、図１５に示すように処理される。すなわち、上記素材受付部は、編集内容のチェックが完了すると、素材ストレージ部に対し、編集用データを転送するように指示する。素材ストレージ部は、その指示を受けて編集用データを抽出して編集サービス部に転送した後、データ転送の完了を素材受付部に通知する。
【００６２】
素材受付部はデータ転送完了の通知を受けて素材ストレージ部に対し、挿入用データを転送するように指示する。この挿入用データは、他の素材から抽出した動画または静止画、もしくは、挿入用に別途用意しておいたデータ等である。素材ストレージ部は、その指示を受けて挿入用データを抽出して編集サービス部に転送した後、挿入用データ転送の完了を素材受付部に通知する。素材受付部はその通知を受けて編集サービス部にデータ挿入編集を指示する。その指示を受けた編集サービス部は、編集用データに挿入用データを挿入する編集処理を行い、編集を完了した場合には、素材ストレージ部に編集後のデータを保存すると共に、データ挿入編集が完了したことを素材受付部に通知する。以後、図１１と同様に、ユーザポータル部を通じてユーザ端末に編集完了を通知し、要求に応じて編集結果の表示を行う。
【００６３】
上記編集メニューのうちテロップ挿入編集が選択指定された場合には、図１６に示すように処理される。すなわち、上記素材受付部は、編集内容のチェックが完了すると、素材ストレージ部に対し、編集用データを転送するように指示する。素材ストレージ部は、その指示を受けて編集用データを抽出して編集サービス部に転送した後、データ転送の完了を素材受付部に通知する。
【００６４】
素材受付部はデータ転送完了の通知を受けて編集サービス部にテロップ挿入編集を指示する。編集サービス部は、その編集指示を受けて、素材受付部にテロップ挿入データを要求する。素材受付部は、その要求を受けてユーザ指定のテロップ挿入データを抽出し、そのテロップ挿入データを編集サービス部に送付する。編集サービス部は、転送された編集用データに対して送付されたテロップ挿入データに基づくテロップを挿入する編集処理を行い、編集を完了した場合には、素材ストレージ部に編集後のデータを保存すると共に、データ挿入編集が完了したことを素材受付部に通知する。以後、図１１と同様に、ユーザポータル部を通じてユーザ端末に編集完了を通知し、要求に応じて編集結果の表示を行う。
【００６５】
上記編集メニューのうち静止画抽出編集が選択指定された場合には、図１７に示すように処理される。すなわち、上記素材受付部は、編集内容のチェックが完了すると、素材ストレージ部に対し、編集用データを転送するように指示する。素材ストレージ部は、その指示を受けて編集用データを抽出して編集サービス部に転送した後、データ転送の完了を素材受付部に通知する。素材受付部はデータ転送完了の通知を受けて編集サービス部に静止画抽出編集を指示する。その指示を受けた編集サービス部は、転送データから指定の間隔または特徴部分の静止画を抽出して、その抽出した静止画を連続的に表示する動画コンテンツデータ形式（静止画ムービー）としてまとめる編集処理を行い、編集を完了した場合には、素材ストレージ部に編集後のデータを保存すると共に、静止画抽出編集が完了したことを素材受付部に通知する。以後、図１１と同様に、ユーザポータル部を通じてユーザ端末に編集完了を通知し、要求に応じて編集結果の表示を行う。
【００６６】
上記編集メニューのうちチャプター生成編集が選択指定された場合には、図１８に示すように処理される。すなわち、上記素材受付部は、編集内容のチェックが完了すると、素材ストレージ部に対し、編集用データを転送するように指示する。素材ストレージ部は、その指示を受けて編集用データを抽出して編集サービス部に転送した後、データ転送の完了を素材受付部に通知する。素材受付部はデータ転送完了の通知を受けて編集サービス部にチャプター生成編集を指示する。その指示を受けた編集サービス部は、転送データから指定の区切りのチャプターを生成する編集処理を行い、編集を完了した場合には、素材ストレージ部に編集後のデータを保存すると共に、チャプター生成編集が完了したことを素材受付部に通知する。以後、図１１と同様に、ユーザポータル部を通じてユーザ端末に編集完了を通知し、要求に応じて編集結果の表示を行う。
【００６７】
上記編集メニューのうちデータ形式変換（ここでは変換も編集と１つとする）が選択指定された場合には、図１９に示すように処理される。すなわち、上記素材受付部は、編集内容のチェックが完了すると、素材ストレージ部に対し、編集用データを転送するように指示する。素材ストレージ部は、その指示を受けて編集用データを抽出して編集サービス部に転送した後、データ転送の完了を素材受付部に通知する。素材受付部はデータ転送完了の通知を受けて編集サービス部にデータ形式変換を指示する。その指示を受けた編集サービス部は、転送データを指定のデータ形式に変換する処理を行い、変換を完了した場合には、素材ストレージ部に変換後のデータを保存すると共に、データ形式変換が完了したことを素材受付部に通知する。
【００６８】
ここで、ユーザ端末からダウンロード要求が指示されていた場合には、素材受付部は素材ストレージ部にデータ転送を指示する。素材ストレージ部はその指示を受けてユーザ端末に対して自動または手動によるデータダウンロードを行い、ダウンロードのデータ転送が完了した場合には素材受付部にデータ転送完了を通知する。素材受付部はその通知を受けてユーザポータル部にデータダウンロード完了を通知する。ユーザポータル部は、その通知を受けてユーザ端末にダウンロード完了を通知する。
【００６９】
ところで、一般ユーザがビデオムービー等で撮影した動画は、動画として楽しむのが一般的であるが、動画の中には、静止画として抽出すると、魅力的な写真が抽出できることがある。例えば通常の写真撮影ではなかなか良い表情を見せない人が、動画の中では良い表情を見せている場合がある。最近のビデオムービーは動画撮影時の解像度が高く、そこから静止画を抽出して写真として楽しむことは十分可能である。
【００７０】
しかしながら個人で動画データから気に入った静止画を抽出し選別するには、例えば、撮影した動画データをＰＣへ保存し、ＰＣ上で動画データをフレーム毎に分割し、静止画を抽出（例えば30fpsで撮影した場合、1分で1800枚の静止画が抽出される）した上で、全ての静止画フレームの中から気に入ったフレームを選出し、選出されたフレームを静止画データとして保存するという、一連の作業を実施しなければならない。
【００７１】
このように、上記の手順は非常に手間と時間がかかる作業である。また、映像データは容量が大きいため、ＰＣのディスク容量を圧迫し、データ転送する際には非常に時間がかかる。さらに、動画をＰＣで加工編集するには高額なソフトと高性能のＰＣが必要であり、その編集操作の技術を習得するには非常に手間と時間がかかる。また、大量の静止画フレームを全て確認するのは非常に時間がかかる。
【００７２】
そこで、動画データ加工・編集装置１１に上記静止画の抽出機能を持たせ、アップロードされた動画データからユーザ指定の内容で静止画を抽出してモニタ表示させ、ユーザがその中から特に気に入ったものを選択できるようにすることで、比較的短時間にかつ手軽に動画データからベストショットによる静止画オートコラージュを作成することができる。図２０及び図２１を参照してその実施形態を説明する。
【００７３】
図２０は図９に示したオートコラージュ編集（静止画の抽出）において、さらにユーザの希望に沿った内容の静止画を優先的に抽出するオプション機能（図中点線で囲んだ部分）を備える場合のメニュー画面である。この例では、静止画の抽出方法として、人物毎、シーン毎、良い表情（笑顔など）、盛り上がり場面、集合写真、風景、建物、ナイスプレーの選択肢を表示している。また、「人物毎」における優先人物を指定するための指示入力として、優先人物のサンプル画像を添付ファイルとして指定できるようにしている。
【００７４】
上記オートコラージュ編集の処理で最終的にユーザの選択指示を受け付ける場合には、図２１に示すように処理される。ここで、静止画抽出編集が選択指定されてから静止画抽出編集完了までの処理は図１７の場合と同じであるので、重複する説明は割愛し、ここでは図中点線で囲んだ新規部分について説明する。
【００７５】
図２１において、静止画抽出編集完了の通知を受けた素材受付部は、抽出された静止画データと共に抽出静止画の表示指示をユーザポータル部に送る。ユーザポータル部は、ユーザ端末に抽出された静止画データを表示させ、ユーザの静止画選択指示を受けると、選択静止画情報の通知を素材受付部に送る。素材受付部は、選択静止画情報の通知を受けると素材ストレージ部に選択静止画の抽出指示を送る。この指示を受けた素材ストレージ部は選択指示された静止画の抽出を行い、その抽出が完了した場合には、抽出完了を素材受付部に通知する。素材受付部は選択静止画の抽出完了通知を受けると、その通知をユーザポータル部を通じてユーザ端末に送り、ユーザに抽出が完了したことを知らせる。最終的に抽出された静止画データはユーザの配信指示に従って任意の宛先へ配信することが可能である。
【００７６】
このように、動画像データ加工・編集装置に、動画データにおける膨大な静止画フレームの中からベストショットの静止画を抽出するまでの処理を行うオートコラージュ編集機能を持たせることにより、ユーザは簡単な選択操作だけで手軽にベストショットの静止画を抽出して楽しむことができるようになる。
【００７７】
以上のように、本発明によるコンテンツ編集配信システムによれば、編集メニューの中から所望の項目を選んで指定することで、アップロードした動画データを自動的に編集して任意のユーザに配信することが可能となる。この結果、ビデオムービーの撮影動画を友人等に配布する場合、データの保存先、もしくはライブ配信先のＵＲＬを配布したい友人等に連絡する、という作業のみとなり、従来の方法で手間と時間がかかっていた作業が必要なくなる。また、複数の動画データを１つの動画にまとめる９４ｉ編集する（合体）ことも可能である。例えば、複数のビデオカメラで撮影したそれぞれの動画データからハイライト部分を切り出して時系列に並べて見応えのある映像を作成することは、一般ユーザには大変な労力であるが、本発明のシステムを利用すれば、それらの動画データをアップロードするだけで簡単かつ短時間に編集し提供することができ、その利便性は編集依頼者にとって図り知れないものがある。
【００７８】
尚、本発明において提案する編集機能として、動画撮影中にデータをサイトに自動転送する機能、自動転送する場合の動画画質、転送速度等を選択する機能、自動転送された動画データを自動で編集する機能、自動編集で実施する編集内容を選択する機能、編集済みの動画データをいろいろなメディアに対応するデータ形式に自動で変換する機能、自動データ変換する場合の対象メディアを選択する機能、変換済みの動画データを保存している場所を自動で連絡する機能、撮影中の動画をそのままライブで配信する機能、またライブ映像が複数の端末（携帯電話、ＰＣ、ＤＴＶなど）で視聴できる機能、配布先、ライブ映像の配信先のユーザを限定するアクセス制御の機能、配布中、配信中のデータをＤＲＭで保護する機能、静止画データをプリント処理装置に転送する機能等があげられる。また、編集処理においては、編集処理されたコンテンツをユーザ端末に提示してユーザに確認させ、ユーザ端末からの指示に従って再編集を行うようにすることで、ユーザの要望に沿った編集処理を確実に行えるようになる。
【００７９】
また、本発明は上記実施形態そのままに限定されるものではなく、実施段階ではその要旨を逸脱しない範囲で構成要素を変形して具体化できる。例えば、上記実施形態では、同時に録画可能な番組数を２つとしたが、それ以上の番組数であっても同様に実施可能である。また、上記実施形態に開示されている複数の構成要素の適宜な組み合わせにより、種々の発明を形成できる。例えば、実施形態に示される全構成要素から幾つかの構成を削除してもよい。さらに、異なる実施形態例に亘る構成要素を適宜組み合わせてもよい。
【符号の説明】
【００８０】
１１…動画データ加工・編集装置、１１１…アップロード処理部、１１２…編集処理部、１１３…配信処理部、１１Ａ…ユーザ管理部、１１Ｂ…アクセス制御部、１１Ｃ…課金管理部、１１Ｄ…ＤＲＭ（Digital Rights Management：デジタル著作権管理）／コンテンツ保護部、１１Ｅ…ポータルサイト処理部、１１Ｆ…チャット機能処理部、１１Ｇ…掲示板機能処理部、１１Ｈ…ＳＮＳ（Social Networking Service：ソーシャル・ネットワーク・サービス）機能処理部、１２…ネットワーク、１３ｉ…ユーザ端末、１３１…ユーザ端末、１３２…ＰＣ、１３３…ネットワーク接続型テレビ、１３４…携帯端末、Ａ１…ポータルサービス、Ａ２…映像素材取得／管理、Ａ３…編集サービス、Ａ４…映像素材配信、１４…課金／決裁業者システム、１５…データベース、１６…リコメンドエンジン、１７…素材蓄積ストレージ、１８…ＣＭバンキングシステム、１９…ＤＲＭ暗号化システム。
【図１】
2011210223.tif 000003
【図２】
2011210223.tif 000004
【図３】
2011210223.tif 000005
【図４】
2011210223.tif 000006
【図５】
2011210223.tif 000007
【図６】
2011210223.tif 000008
【図７】
2011210223.tif 000009
【図８】
2011210223.tif 000010
【図９】
2011210223.tif 000011
【図１０】
2011210223.tif 000012
【図１１】
2011210223.tif 000013
【図１２】
2011210223.tif 000014
【図１３】
2011210223.tif 000015
【図１４】
2011210223.tif 000016
【図１５】
2011210223.tif 000017
【図１６】
2011210223.tif 000018
【図１７】
2011210223.tif 000019
【図１８】
2011210223.tif 000020
【図１９】
2011210223.tif 000021
【図２０】
2011210223.tif 000022
【図２１】
2011210223.tif 000023